(57)【特許請求の範囲】
【請求項１】
移動端末と、
前記移動端末が接続するセルを管理し、前記セルに隣接する隣接セルのうち、前記移動端末のハンドオーバ先セルの候補となる特定の隣接セルが登録された隣接セルリストが設定された基地局と、
前記基地局に設定された隣接セルリストを更新する隣接セルリスト最適化システムと、を備え、
前記移動端末は、前記隣接セルの無線品質を測定し、測定した無線品質が閾値を越えている隣接セルの無線品質を示す測定情報を前記基地局に報告し、
前記隣接セルリスト最適化システムは、
前記基地局に報告された前記測定情報に基づき、前記隣接セルごとに、前記隣接セルリストに登録する優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する無線通信システム。
【請求項２】
請求項１記載の無線通信システムにおいて、
前記優先度算出部は、前記移動端末により一度に複数の隣接セルの測定情報が報告された場合、該複数の隣接セルのうち最も無線品質が良い隣接セルに関してのみ前記報告数を集計する、無線通信システム。
【請求項３】
請求項１または２記載の無線通信システムにおいて、
前記優先度算出部は、前記隣接セルの優先度を算出した後、該隣接セルのトラフィック統計情報に基づき、該隣接セルの優先度を補正する、無線通信システム。
【請求項４】
請求項３記載の無線通信システムにおいて、
前記トラフィック統計情報は、前記隣接セルへのハンドオーバの試行数、または成功数、の少なくとも１つを含む、無線通信システム。
【請求項５】
請求項４記載の無線通信システムにおいて、
前記優先度算出部は、前記隣接セルの優先度を算出した後、該隣接セルへのハンドオーバの試行数と全ての隣接セルのいずれかへのハンドオーバの試行数との比、または、該隣接セルへのハンドオーバの成功数と全ての隣接セルのいずれかへのハンドオーバの成功数との比、に基づき、該隣接セルの優先度を補正する、無線通信システム。
【請求項６】
請求項１から５のいずれか１項に記載の無線通信システムにおいて、
前記隣接セルリスト最適化システムは、
前記セルおよび隣接セルそれぞれの地理的範囲であるカバレッジを示すカバレッジ情報を記憶する設計情報記憶部を、さらに有し、
前記優先度算出部は、前記隣接セルの優先度を算出した後、該隣接セルのカバレッジ情報に基づき、該隣接セルの優先度を補正する、無線通信システム。
【請求項７】
請求項６記載の無線通信システムにおいて、
前記優先度算出部は、前記隣接セルの優先度を算出した後、前記セルのカバレッジと該隣接セルのカバレッジとの重複面積に基づき、該隣接セルの優先度を補正する、無線通信システム。
【請求項８】
請求項１から７のいずれか１項に記載の無線通信システムにおいて、
前記移動端末は、前記隣接セルリストに登録された隣接セルの測定情報を報告する場合と、前記隣接セルリストに登録されていない隣接セルの測定情報を報告する場合とで、前記閾値として同一の値を用いる、無線通信システム。
【請求項９】
請求項１から７のいずれか１項に記載の無線通信システムにおいて、
前記移動端末は、前記隣接セルリストに登録された隣接セルの測定情報を報告する場合と、前記隣接セルリストに登録されていない隣接セルの測定情報を報告する場合とで、前記閾値として異なる値を用いる、無線通信システム。
【請求項１０】
請求項１から９のいずれか１項に記載の無線通信システムにおいて、
前記隣接セルを管理し、第１のパイロット信号を送信する隣接基地局をさらに備え、
前記基地局は、第２のパイロット信号を送信し、
前記移動端末は、前記第１および第２のパイロット信号の受信電力または信号対干渉波比の少なくとも１つを測定する、無線通信システム。
【請求項１１】
請求項１０記載の無線通信システムにおいて、
前記移動端末は、前記隣接セルの無線品質として、前記第１のパイロット信号の受信電力、前記第１のパイロット信号の信号対干渉波比、前記第２のパイロット信号の受信電力に対する前記第１のパイロット信号の受信電力の比、または前記第２のパイロット信号の信号対干渉波比に対する前記第１のパイロット信号の信号対干渉波比の比、の少なくとも１つを測定し、測定した無線品質が前記閾値を超えている場合に、前記測定情報を前記基地局に報告する、無線通信システム。
【請求項１２】
請求項１記載の無線通信システムにおいて、
前記移動端末は、
前記特定の隣接セルの無線品質を測定する第１の移動端末と、
前記隣接セルのうち、前記特定の隣接セル以外の隣接セルの無線品質を測定する第２の移動端末と、を含む、無線通信システム。
【請求項１３】
請求項１２記載の無線通信システムにおいて、
前記隣接セルリスト最適化システムは、
前記移動端末から、前記第１および第２の移動端末を指定する情報収集部をさらに有し、
前記情報収集部は、前記第１の移動端末に指定した移動端末の一部を前記第２の移動端末に指定する、無線通信システム。
【請求項１４】
請求項１３記載の無線通信システムにおいて、
前記優先度算出部は、前記隣接セルの優先度を算出した後、前記第１の移動端末の数と前記第２の移動端末の数との比に基づき、該隣接セルの優先度を補正する、無線通信システム。
【請求項１５】
移動端末が接続するセルを管理する基地局に設定され、前記セルに隣接する隣接セルのうち、前記移動端末のハンドオーバ先セルの候補となる特定の隣接セルが登録された隣接セルリストを更新する隣接セルリスト最適化システムであって、
前記移動端末から前記基地局に報告された、該移動端末により測定された無線品質が閾値を超えている隣接セルの無線品質を示す測定情報に基づき、前記隣接セルごとに、前記隣接セルリストへの登録の優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する隣接セルリスト最適化システム。
【請求項１６】
移動端末が接続するセルを管理し、自局に設定され、前記セルに隣接する隣接セルのうち前記移動端末のハンドオーバ先セルの候補となる特定の隣接セルが登録された隣接セルリストを更新する基地局であって、
前記移動端末から自局に報告された、該移動端末により測定された無線品質が閾値を超えている隣接セルの無線品質を示す測定情報に基づき、前記隣接セルごとに、前記隣接セルリストへの登録の優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する基地局。
【請求項１７】
移動端末が接続するセルを管理する基地局に設定され、前記セルに隣接する隣接セルのうち、前記移動端末のハンドオーバ先セルの候補となる特定の隣接セルが登録された隣接セルリストを更新する隣接セルリスト最適化システムに適用される隣接セルリスト更新方法であって、
前記移動端末から前記基地局に報告された、該移動端末により測定された無線品質が閾値を超えている隣接セルの無線品質を示す測定情報に基づき、前記隣接セルごとに、前記隣接セルリストへの登録の優先度を算出し、
前記算出された優先度が高い隣接セルから順に、前記隣接セルリストに登録可能な隣接セル数を上限として、隣接セルを前記隣接セルリストに登録して、前記隣接セルリストを更新し、
所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する。
【発明の詳細な説明】
【技術分野】
【０００１】
本発明は、隣接セルリストを更新する無線通信システム、隣接セルリスト最適化システム、基地局および隣接セルリスト更新方法に関する。
【背景技術】
【０００２】
一般に、無線通信システムは、図１に示すように、移動端末１０と、無線基地局３０と、移動通信コア網５０と、を有する。【０００３】
移動端末１０は、無線基地局３０との間で、通信トラフィックや制御トラフィックなどのデータの送受信を行う。【０００４】
無線基地局３０は、移動端末１０および有線リンク４０を介して接続された移動通信コア網５０との間でデータの送受信を行う。なお、無線基地局３０の周囲には、移動端末１０との無線リンク２０が有効な範囲として無線セル３５が設けられる。無線基地局３０は、自局の周囲に設けられた無線セル３５を管理し、移動端末１０は、無線基地局３０が管理する無線セル３５に接続し、無線基地局３０との間でデータの送受信を行う。【０００５】
移動通信コア網５０は、不図示の交換局やサーバ装置からなり、無線基地局３０と有線リンク４０を介して接続されるとともに、外部網７０と有線リンク６０を介して接続され、無線基地局３０および外部網７０との間でデータの送受信を行う。【０００６】
このような無線通信システムにおいては、サービス対象とするサービスエリア全域において所要の通信品質を満たすために、無線基地局３０の無線パラメータを適切に設定することが求められる。この無線パラメータの例としては、無線基地局３０の総送信電力、無線基地局アンテナの垂直・水平面での傾き角、隣接セルリスト、ハンドオーバ閾値、などが代表的である。【０００７】
以下では、無線基地局３０に無線パラメータとして隣接セルリストを設定するものとして説明する。【０００８】
ここで、隣接セルリストについて説明する。【０００９】
無線通信システムにおいては、無線セルをサービスエリア全域に面的に配置することで、サービスの提供が行われる。【００１０】
移動端末１０は、接続先の無線セルから他の無線セルに移動する際に、ハンドオーバと呼ばれる接続先の無線セルの切り替え処理を行う。この処理は、移動端末１０に、接続先の無線セルおよびその無線セルに隣接する隣接セルの無線品質を測定し、接続先の無線セルの無線品質が劣化したら、測定した無線セルおよび隣接セルの無線品質を接続先の無線セルを管理する無線基地局３０に報告するように予め指示しておき、移動端末１０からの報告があった時点で無線基地局３０がハンドオーバ先の無線セルを判断することにより実現する。【００１１】
このとき、移動端末１０の負荷を軽減してハンドオーバを高速に処理するため、ハンドオーバ先の無線セルの候補を、隣接セルのうち特定のセルに限定する方式が一般に用いられる。ここで、ハンドオーバ先の無線セルの候補を示すのが隣接セルリストである。隣接セルリストは、無線セルごとに通信事業者が無線セルを登録することで生成され、その無線セルを管理する無線基地局３０から下り回線を介して移動端末１０に報知される。【００１２】
なお、以下では、隣接セルのうち、隣接セルリストに登録されている無線セルをListed  Cellと称し、隣接セルリストに登録されていない無線セルをDetected  Cellと称する。【００１３】
移動端末１０から報告を受けた無線基地局３０は、無線品質が報告されたListed  Cellの中からハンドオーバ先の無線セルを判断する。そのため、移動端末１０は、測定・報告の対象外であるDetected  Cellにはハンドオーバできない。したがって、隣接セルリストに無線セルの登録漏れがあると、適切な無線セルへハンドオーバできずに途中で異常切断が生じたり、不適切な無線セルへハンドオーバしたために通信品質が劣化したりするおそれがある。そのため、登録漏れのない隣接セルリストを如何に生成するかが、良好な通信品質を確保するうえで重要となる。【００１４】
一方で、隣接セルリストの報知に要する回線の負荷ならびに無線品質の測定・報告に要する移動端末１０の負荷を抑えるために、通常、隣接セルリストに登録される無線セル数には上限（ＬMax）が設けられている。したがって、主要な無線セルが隣接セルリストに登録されるように、通信品質の向上に寄与する可能性が高い無線セルから優先的に隣接セルリストに登録する必要がある。【００１５】
一般に、隣接セルリストの設定には高度な技術を要し、無線通信システムのサービスエリアにおける走行試験の結果などに基づき、最適化が行われていた。【００１６】
しかし、近年、無線通信システムの運用中に自律的に隣接セルリストを最適化する隣接セルリスト最適化システムが検討されている。【００１７】
図２は、隣接セルリスト最適化システムを備えた無線通信システムの構成の一例を示す図である。【００１８】
図２に示す無線通信システムは、移動端末１０と、無線基地局３０と、移動通信コア網５０と、隣接セルリスト最適化システム９０と、を有する。なお、図２において、図１と同様の構成については同じ符号を付して説明を省略する。【００１９】
隣接セルリスト最適化システム９０は、有線リンク８０を介して無線基地局３０と接続されるとともに、有線リンク８５を介して移動通信コア網５０と接続され、無線基地局３０が管理する無線セル３５に対する隣接セルリストの最適化を行う。【００２０】
非特許文献１には、隣接セルリスト最適化システムによる隣接セルリスト更新方法が記載されている。【００２１】
図３は、非特許文献１に記載の隣接セルリスト更新方法を説明する図である。【００２２】
なお、非特許文献１においては、移動端末は、無線品質として無線基地局から送信されたパイロット信号の受信電力を測定し、報告するものとする。【００２３】
非特許文献１に記載の隣接セルリスト更新方法では、隣接セルリストに登録されたListed  Cellごとに、そのListed  Cellへのハンドオーバの試行数（ａ）が集計される。また、Detected  Cellごとに、そのDetected  Cellを管理する無線基地局から送信されたパイロット信号の受信電力が閾値以上であると移動端末から報告された回数（ｎ）が集計される。【００２４】
そして、報告数（ｎ）が閾値（ＴｈAdd）以上であるDetected  Cellが、報告数（ｎ）が大きい無線セルから順に隣接セルリストに登録されるとともに、試行数（ａ）が閾値（ＴｈDel）以下であるListed  Cellが、隣接セルリストから削除されることにより、隣接セルリストが更新される。
【先行技術文献】
【非特許文献】
【００２５】
【非特許文献１】D.  Soldani,  “Self-optimizing  Neighbor  Cell  List  for  UTRA  FDD  Networks  Using  Detected  Set  Reporting”,  pp.694-pp.698,  IEEE  VTC2007.
【非特許文献２】3GPP  TS36.331  v8.4.0,  pp.66,  2008.
【発明の開示】
【発明が解決しようとする課題】
【００２６】
しかしながら、非特許文献１に記載の隣接セルリスト更新方法には、以下の２つの課題がある。【００２７】
図４は、非特許文献１に記載の隣接セルリスト更新方法の第１の課題を説明する図である。【００２８】
図４に示す、集計テーブル９１は、Detected  Cellごとの、そのDetected  Cellを管理する無線基地局から送信されたパイロット信号の受信電力が閾値以上であると移動端末から報告された回数（ｎ）を示すテーブルであり、集計テーブル９２は、Listed  Cellごとの、そのListed  Cellへのハンドオーバの試行数（ａ）を示すテーブルである。【００２９】
なお、集計テーブル９１では、各Detected  Cellが報告数（ｎ）の降順で、集計テーブル９２では、各Listed  Cellがハンドオーバの試行数（ａ）の降順で、それぞれ整列済みであるとする。【００３０】
集計テーブル９１において、移動端末からの報告数（ｎ）が閾値（ＴｈAdd）以上であるDetected  Cell（ＤＣ＃１，ＤＣ＃２，ＤＣ＃３）が、隣接セルリストに追加される対象となる。このとき、これらの無線セルを隣接セルリストに追加すると、ハンドオーバの試行数（ａ）が閾値（ＴｈDel）以下であるListed  Cellを削除してもなお、隣接セルリストに登録可能な無線セル数の上限（ＬMax）を超える場合があるという第１の課題がある。【００３１】
このような場合、隣接セルリストへの追加の対象であるDetected  Cellと隣接セルリストからの削除の対象とならなかったListed  Cellとで、どの無線セルを隣接セルリストに登録するか決定する必要がある。しかし、隣接セルリストに追加する無線セルを決定する基準と隣接セルリストから削除する無線セルを決定する基準とが異なるため、どの無線セルを隣接セルリストに登録するか決定するのが困難である。【００３２】
図５は、非特許文献１に記載の隣接セルリスト更新方法の第２の課題を説明する図である。【００３３】
図５に示す、集計テーブル９３は、Detected  Cellごとの、そのDetected  Cellを管理する無線基地局から送信されたパイロット信号の受信電力が閾値以上であると移動端末から報告された回数（ｎ）を示すテーブルであり、集計テーブル９４は、Listed  Cellごとの、そのListed  Cellへのハンドオーバの試行数（ａ）を示すテーブルである。【００３４】
なお、図４と同様に、集計テーブル９３では、各Detected  Cellが報告数（ｎ）の降順で、集計テーブル９４では、各Listed  Cellがハンドオーバの試行数（ａ）の降順で、整列済みであるとする。【００３５】
集計テーブル９３において、報告数（ｎ）が閾値（ＴｈAdd）以上であるDetected  Cell（ＤＣ＃１）が、隣接セルリストに追加される対象となる。しかし、ＤＣ＃１をListed  Cell（ＬＣ＃Ｍ＋１）として隣接セルリストに追加しても、ＬＣ＃Ｍ＋１へのハンドオーバの試行数（ａM+1）が閾値（ＴｈDel）以下であれば、隣接セルリストから削除され、再び、Detected  Cell（ＤＣ＃１）となる。【００３６】
周辺の無線環境に大きな変化がなければ、ＤＣ＃１は再び、隣接セルリストへの追加の対象となる可能性が高く、そのため、同一の無線セルに対する追加と削除の繰返しが発生し、隣接セルリストの更新動作が不安定になるという第２の課題がある。【００３７】
そこで、本発明の目的は、上記の課題を解決する無線通信システム、隣接セルリスト最適化システム、基地局、隣接セルリスト最適化方法を提供することにある。
【課題を解決するための手段】
【００３８】
上記目的を達成するために本発明の無線通信システムは、
移動端末と、
前記移動端末が接続するセルを管理し、前記セルに隣接する隣接セルのうち、前記移動端末のハンドオーバ先セルの候補となる特定の隣接セルが登録された隣接セルリストが設定された基地局と、
前記基地局に設定された隣接セルリストを更新する隣接セルリスト最適化システムと、を備え、
前記移動端末は、前記隣接セルの無線品質を測定し、測定した無線品質が閾値を越えている隣接セルの無線品質を示す測定情報を前記基地局に報告し、
前記隣接セルリスト最適化システムは、
前記基地局に報告された前記測定情報に基づき、前記隣接セルごとに、前記隣接セルリストに登録する優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する。
【００３９】
上記目的を達成するために本発明の隣接セルリスト最適化システムは、
移動端末が接続するセルを管理する基地局に設定され、前記セルに隣接する隣接セルのうち、前記移動端末のハンドオーバ先セルの候補となる特定の隣接セルが登録された隣接セルリストを更新する隣接セルリスト最適化システムであって、
前記移動端末から前記基地局に報告された、該移動端末により測定された無線品質が閾値を超えている隣接セルの無線品質を示す測定情報に基づき、前記隣接セルごとに、前記隣接セルリストへの登録の優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する。
【００４０】
上記目的を達成するために本発明の基地局は、
移動端末が接続するセルを管理し、自局に設定され、前記セルに隣接する隣接セルのうち前記移動端末のハンドオーバ先セルの候補となる特定の隣接セルが登録された隣接セルリストを更新する基地局であって、
前記移動端末から自局に報告された、該移動端末により測定された無線品質が閾値を超えている隣接セルの無線品質を示す測定情報に基づき、前記隣接セルごとに、前記隣接セルリストへの登録の優先度を算出する優先度算出部と、
前記優先度算出部により算出された優先度が高い隣接セルから順に、前記隣接セルリストに登録可能な隣接セル数を上限として、隣接セルを前記隣接セルリストに登録して、前記隣接セルリストを更新する隣接セルリスト更新部と、を有し、
前記優先度算出部は、所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する。
【００４１】
上記目的を達成するために本発明の隣接セルリスト更新方法は、
移動端末が接続するセルを管理する基地局に設定され、前記セルに隣接する隣接セルのうち、前記移動端末のハンドオーバ先セルの候補となる特定の隣接セルが登録された隣接セルリストを更新する隣接セルリスト最適化システムに適用される隣接セルリスト更新方法であって、
前記移動端末から前記基地局に報告された、該移動端末により測定された無線品質が閾値を超えている隣接セルの無線品質を示す測定情報に基づき、前記隣接セルごとに、前記隣接セルリストへの登録の優先度を算出し、
前記算出された優先度が高い隣接セルから順に、前記隣接セルリストに登録可能な隣接セル数を上限として、隣接セルを前記隣接セルリストに登録して、前記隣接セルリストを更新し、
所定の集計期間における前記隣接セルの測定情報の報告数を集計し、複数の前記集計期間における前記隣接セルの測定情報の報告数を、それぞれの報告数が集計された集計期間からの経過時間を用いて加重平均し、該加重平均して得られた値に基づき該隣接セルの優先度を算出する。
【発明の効果】
【００４２】
本発明によれば、移動端末は、自端末が接続するセルに隣接する隣接セルの無線品質を測定し、測定した無線品質が閾値以上の隣接セルの無線品質を示す測定情報を、自端末が接続するセルを管理し、隣接セルリストが設定された基地局に報告し、隣接セルリスト最適化システムは、基地局に報告された測定情報に基づき、隣接セルリストへの登録の優先度を算出し、算出した優先度が高い隣接セルから順に、隣接セルリストに登録可能な数を上限として隣接セルを隣接セルリストに登録して、隣接セルリストを更新する。【００４３】
すなわち、本実施形態では、非特許文献１のように、隣接セルリストに登録されていない隣接セルの隣接セルリストへの登録と、隣接セルリストに登録されている隣接セルの隣接セルリストからの削除と、を繰り返すのではなく、隣接セルリストに登録されているか否かで隣接セルを区別せずに、各隣接セルの優先度を算出し、優先度の高い隣接セルから順に、隣接セルリストに登録可能な隣接セル数を上限として、隣接セルを一括して隣接セルリストに登録することで、隣接セルリストを更新する。【００４４】
従って、隣接セルリストに登録される隣接セルの数は、隣接セルリストに登録可能な数の上限以下となるため、隣接セルリストに登録可能な数を超えた隣接セルが隣接セルリストへの登録の対象となることを防ぐことができるという効果が得られる。【００４５】
また、隣接セルリストへの隣接セルの登録と削除とを繰り返す必要が無いため、隣接セルリストの更新動作が不安定になることを回避することができるという効果が得られる。
【図面の簡単な説明】
【００４６】
【図１】一般的な無線通信システムの構成の一例を示す図である。
【図２】隣接セルリスト最適化システムを備えた無線通信システムの構成の一例を示す図である。
【図３】非特許文献１に記載の隣接セルリスト更新方法を説明する図である。
【図４】非特許文献１に記載の隣接セルリスト更新方法の課題を説明する図である。
【図５】非特許文献１に記載の隣接セルリスト更新方法の課題を説明する図である。
【図６】本発明の第１の実施形態の隣接セルリスト最適化システムの構成を示すブロック図である。
【図７】図６に示す隣接セルリスト最適化システムの動作を説明するフローチャートである。
【図８】図６に示す優先度算出部が管理する管理情報の一例を示す図である。
【図９】図６に示す隣接セルリスト更新部による隣接セルリストの決定方法を説明する図である。
【図１０】本発明の第３の実施形態の隣接セルリスト最適化システムの優先度算出部が管理する管理情報の一例を示す図である。
【図１１】本発明の第４の実施形態の隣接セルリスト最適化システムの構成を示すブロック図である。
【図１２】図１１に示す隣接セルリスト最適化システムの動作を説明するフローチャートである。
【図１３】本発明の第５の実施形態の隣接セルリスト最適化システムの構成を示すブロック図である。
【図１４】図１３に示す隣接セルリスト最適化システムの動作を説明するフローチャートである。
【図１５】本発明の第５の実施形態における最適化対象セルおよび隣接セルの配置関係の一例を示す図である。
【図１６】図１３に示す優先度算出部が優先度を算出する際に用いる評価関数の一例を示す図である。
【発明を実施するための形態】
【００４７】
以下に、本発明を実施するための形態について図面を参照して説明する。
【００４８】
なお、以下では、図２に示す無線通信システムにおいて、本発明による隣接セルリスト最適化システムが、無線基地局３０に設定された隣接セルリストを更新する例について記載する。そのため、図２と同様の構成については同じ符号を付し、説明を省略する。
（第１の実施形態）
図６は、本発明の第１の実施形態の隣接セルリスト最適化システム１００の構成を示す図である。
【００４９】
図６に示す隣接セルリスト最適化システム１００は、通信統計記憶部１０１と、品質劣化検出部１０２と、測定情報記憶部１０３と、測定情報収集部１０４と、優先度算出部１０５と、隣接セルリスト記憶部１０６と、隣接セルリスト更新部１０７と、を有する。
【００５０】
通信統計記憶部１０１は、運用中の無線通信システムに関する通信のトラフィック統計情報を記憶する領域である。トラフィック統計情報の具体例としては、各無線セルへのハンドオーバの試行数、そのハンドオーバの成功数および失敗数などの無線セル単位の統計がある。
【００５１】
品質劣化検出部１０２は、通信統計記憶部１０１に記憶されたトラフィック統計情報からハンドオーバの失敗率などの指標を算出して通信品質が劣化した無線セルを検出し、その無線セルを最適化対象セルに指定する。
【００５２】
測定情報記憶部１０３は、最適化対象セルに接続する移動端末１０からの測定情報の報告、すなわち移動端末１０により測定され無線基地局３０に報告された、最適化対象セルの無線品質および最適化対象セルに隣接する隣接セルの無線品質の測定情報を記憶する領域である。測定情報の具体例としては、最適化対象セルを管理する無線基地局３０および隣接セルを管理する隣接基地局３０から送信されたパイロット信号の受信電力、信号対干渉波比などがある。
【００５３】
なお、隣接セルには、Listed  CellおよびDetected  Cellの両方が含まれる。
【００５４】
測定情報収集部１０４は、最適化対象セルに接続する移動端末１０から無線基地局３０への測定情報の報告を収集するため、移動端末１０に測定情報を報告させる際の動作条件を決定し、最適化対象セルを管理する無線基地局３０に決定した動作条件を設定する。無線基地局３０に設定された動作条件は、下り回線を介して移動端末１０に報知される。
【００５５】
優先度算出部１０５は、最適化対象セルに接続する移動端末１０から報告された測定情報を測定情報記憶部１０３から取得し、取得した測定情報に基づき、隣接セルごとに、隣接セルリストに登録する優先度を算出する。
【００５６】
隣接セルリスト記憶部１０６は、無線基地局３０が管理する無線セルの隣接セルリストを記憶する領域である。なお、隣接セルリストの初期値としては、例えは、最適化対象セルを管理する無線基地局３０と距離が近い無線基地局３０を順に抽出し、その抽出した無線基地局３０が管理する無線セルが登録された隣接セルリスト、あるいは、空の隣接セルリストであっても構わない。
【００５７】
隣接セルリスト更新部１０７は、優先度算出部１０５により算出された隣接セルごとの優先度に基づき、更新後の隣接セルリストに登録する無線セルを決定し、更新内容を無線基地局３０に通知して、隣接セルリストを更新する。
【００５８】
次に、隣接セルリスト最適化システム１００の動作について説明する。
【００５９】
図７は、隣接セルリスト最適化システム１００の動作を説明するフローチャートである。
【００６０】
品質劣化検出部１０２は、通信統計記憶部１０１からトラフィック統計情報を取得し、通信品質が劣化している無線セルを検出する（ステップＳ１００）。具体的には、品質劣化検出部１０２は、ハンドオーバの試行数と失敗数とから各無線セルのハンドオーバの失敗率を算出し、失敗率が閾値以上である無線セルを通信品質が劣化した無線セルとして検出する。以下、検出された無線セルは、最適化対象セルとして扱われる。
【００６１】
なお、本実施形態においては、ステップＳ１００における通信品質の劣化した無線セルの検出は必須ではない。ステップＳ１００を実施しない場合には、例えば、全ての無線基地局３０が管理する無線セルを最適化対象セルとして扱い、隣接セルリストの最適化を周期的に実行しても構わない。
【００６２】
ステップＳ１００において最適化対象セルが検出された場合、測定情報収集部１０４は、最適化対象セルに接続する移動端末１０に測定情報を報告させる際の動作条件を決定し、決定した動作条件を最適化対象セルを管理する無線基地局３０に設定する。
【００６３】
無線基地局３０に設定された動作条件は、下り回線を介して移動端末１０に報知され、測定情報記憶部１０３は、動作条件に従い移動端末１０から無線基地局３０に報告された測定情報を収集して記憶する（ステップＳ１０１）。
【００６４】
なお、測定情報の報告の動作条件については、本フローチャートの説明の末尾で後述する。
【００６５】
優先度算出部１０５は、ステップＳ１０１において記憶された測定情報に基づき、隣接セルごとに、隣接セルリストに登録する優先度を算出する（ステップＳ１０２）。優先度の算出方法の詳細については、図８を用いて後述する。
【００６６】
隣接セルリスト更新部１０７は、ステップＳ１０２において算出された優先度に基づき、更新後の隣接セルリストに登録する無線セルを決定する（ステップＳ１０３）。さらに、隣接セルリスト更新部１０７は、隣接セルリスト記憶部１０６に記憶されている既存の隣接セルリストと更新後の隣接セルリストとを比較し、追加または削除する無線セルを特定して更新後の隣接セルリストを決定する。さらに、隣接セルリスト更新部１０７は、隣接セルリストの更新内容を無線基地局３０に通知して、隣接セルリストを更新する（ステップＳ１０４）。なお、隣接セルリストの決定方法の詳細については、図９を用いて後述する。
【００６７】
最後に、隣接セルリスト更新部１０７は、更新後の隣接セルリストを隣接セルリスト記憶部１０６に格納して処理を終了する。
【００６８】
次に、測定情報の報告の動作条件について説明する。
【００６９】
本実施形態では、動作条件として、非特許文献２に記載の式（１）
【００７０】
【数１】
0005505422.tif 000002
を用いた例について説明する。
【００７１】
ここで、Ｐs，Ｐtは、それぞれ接続先の無線セルを管理する無線基地局３０と隣接セルをそれぞれ管理する隣接基地局３０とから送信されたパイロット信号の受信電力である。Ｏs，Ｏtは、いずれも受信電力のオフセット値であり、Ｏsは接続先の無線セルを管理する無線基地局３０から送信されたパイロット信号の受信電力に作用し、Ｏtは隣接基地局３０から送信されたパイロット信号の受信電力に作用する。Ｏtは隣接セルごとに異なる値を設定することができる。
【００７２】
無線基地局３０に式（１）の動作条件が設定されると、その無線基地局３０が管理する無線セルに接続する移動端末１０に対して式（１）の動作条件が通知される。移動端末１０は、接続先の無線セルを管理する無線基地局３０と隣接基地局３０とから送信されたパイロット信号の受信電力が式（１）の条件を満たすことをトリガとして、無線基地局３０に測定情報を報告する。
【００７３】
なお、以下では、式（１）の条件を満たすことが、無線基地局３０に測定情報を報告するトリガとなるため、式（１）をトリガ条件と呼ぶことがある。
【００７４】
式（１）を式（２）
【００７５】
【数２】
0005505422.tif 000003
のように書き換えて、パラメータＴｈHOをハンドオーバの判定閾値（ハンドオーバ閾値）と呼ぶことがある。これは、式（１）が、ハンドオーバの実行判定を行う際に接続先の無線セルの通信品質が劣化したことを移動端末１０から無線基地局３０に報告するトリガ条件として用いられるからである。
【００７６】
式（１）のトリガ条件をハンドオーバの実行判定に用いる場合には、通常、移動端末１０は、隣接セルリストに登録されたListed  Cellの無線品質を測定する。
【００７７】
一方、本実施形態においては、測定情報収集部１０４は、移動端末１０に対して、Listed  CellおよびDetected  Cellの無線品質の測定を要求する。
【００７８】
なお、本実施形態においては、測定情報の報告のトリガ条件として、ハンドオーバの実行判定と同じ条件を用いる例を説明するが、Listed  CellとDetected  Cellとで異なるトリガ条件を設定しても構わない。また、測定情報の報告のトリガ条件は、パラメータＴｈHOをハンドオーバの実行判定を行う際よりも小さい値に設定して、ハンドオーバの実行地点より手前で測定情報を報告させるなど、ハンドオーバの実行判定のためのハンドオーバ閾値とは異なる値を設定しても構わない。
【００７９】
さらに、本実施形態においては、測定情報収集部１０４は、最適化対象セルに接続する全ての移動端末１０に対して、無線品質の測定を要求する例を説明する。しかし、隣接セルの無線品質の測定は、移動端末１０に少なからず負荷を掛けるため、例えば、最適化対象セルに接続する移動端末１０の中から一定の割合で無作為に抽出した移動端末１０にのみ測定を要求するなど、最適化対象セルに接続する移動端末１０の一部に測定を要求するようにしても構わない。
【００８０】
また、本実施形態においては、同一の移動端末１０にListed  CellおよびDetected  Cell両方の無線品質の測定を要求する例について説明する。しかし、一般に、Detected  Cellの無線品質の測定は、Listed  Cellの無線品質の測定よりも移動端末１０に掛かる負荷が大きいため、例えば、Listed  Cellの無線品質の測定を要求した移動端末１０のうち一部の移動端末１０に、Detected  Cellの無線品質の測定も要求するようにしても構わない。
【００８１】
また、本実施形態においては、無線品質として無線基地局３０から送信されたパイロット信号の受信電力を測定する例について説明するが、信号対干渉波比などの他の無線品質の指標を測定するようにしても構わない。
【００８２】
また、本実施形態においては、動作条件として式（１）のトリガ条件を用いた例について説明するが、例えば、Ｐtが閾値以上である場合や、隣接基地局３０から送信されたパイロット信号の信号対干渉波比が所定の閾値以上である場合に、移動端末１０に報告を行わせるなど、他の条件を用いても構わない。
【００８３】
図８は、優先度算出部１０５が管理する管理情報の一例を示す図である。
【００８４】
図８に示すように、優先度算出部１０５は、Detected  Cellごとに移動端末１０から無線品質が報告された回数を集計した集計テーブル１１１と、Listed  Cellごとに移動端末１０から無線品質が報告された回数を集計した集計テーブル１１２と、を管理情報として管理する。
【００８５】
なお、優先度算出部１０５は、パイロット信号の受信電力が閾値以上であると報告された回数のみを集計する。このとき、Detected  CellとListed  Cellとで同じ受信電力の閾値を用いる。ただし、移動端末１０が、Detected  Cellの無線品質とListed  Cellの無線品質とを、同じトリガ条件に従って報告する場合には、移動端末１０からの報告を全て集計しても構わない。
【００８６】
優先度算出部１０５は、一定期間に集計された隣接セルごとの測定情報の報告数を、隣接セルごとの隣接セルリストに登録する優先度とする。このとき、Detected  Cellの無線品質の測定情報の報告を要求した移動端末１０の総数と、Listed  Cellの無線品質の測定情報の報告を要求した移動端末１０の総数とが異なる場合には、優先度算出部１０５は、それぞれの移動端末１０の総数に応じて優先度を補正する。なお、それぞれの移動端末１０の総数は、測定情報収集部１０４から優先度算出部１０５に通知される。
【００８７】
優先度算出部１０５は、Detected  Cellの無線品質の測定情報の報告の要求をした移動端末１０の総数と、Listed  Cellの無線品質の測定情報の報告の要求をした移動端末１０の総数と、がそれぞれＮD，ＮL（ＮD≠ＮL）であるとき、優先度算出部１０５は、Detected  Cellの報告数ｎDとListed  Cellの報告数ｎLとをそれぞれ、移動端末１０の総数ＮD，ＮLで割って正規化した値、ｎD／ＮD，ｎL／ＮLをそれぞれ、Detected  CellおよびListed  Cellの優先度とする。なお、この場合は、報告数ｎの集計期間中に移動端末１０が同じ無線セルの測定情報を重複して報告しないのが望ましいが、重複報告を許容しても構わない。
【００８８】
また、優先度算出部１０５は、Detected  Cellの報告数ｎDをDetected  Cellの優先度とするとき、ＮLとＮDの比（ＮD／ＮL）をListed  Cellの報告数ｎLに乗じた値（（ＮD／ＮL）＊ｎL）をListed  Cellの優先度としても構わない。
【００８９】
図９は、隣接セルリスト更新部１０７による隣接セルリストの更新方法を説明する図である。
【００９０】
隣接セルリスト更新部１０７は、Detected  CellおよびListed  Cellの優先度、すなわちDetected  Cellの報告数（ｎD）とListed  Cellの報告数（ｎL）とを、無線セルの識別番号とともに、それぞれ集計テーブル１１１および集計テーブル１１２から取得し、無線セルの識別番号を報告数の降順に整列した集計テーブル１１３を生成する。
【００９１】
次に、隣接セルリスト更新部１０７は、隣接セルリストに登録可能な無線セル数（ＬMax）を上限として、集計テーブル１１３から優先度（報告数）が大きい順に無線セルを抽出し、抽出した無線セルを更新後の隣接セルリストに登録する無線セルとする。このとき、報告数が閾値（ＴｈDel’）以下の無線セルは、更新後の隣接セルリストから削除するようにしても構わない。
【００９２】
隣接セルリスト更新部１０７は、抽出した無線セルのうちDetected  Cellを、既存の隣接セルリストに追加する無線セルとする。一方、隣接セルリスト更新部１０７は、抽出した無線セルに含まれないListed  Cellを、既存の隣接セルリストから削除する無線セルとする。図９においては、ＤＣ＃１とＤＣ＃Ｋ−２とが既存の隣接セルリストに追加される無線セルに該当し、ＬＣ＃Ｍが既存の隣接セルリストから削除される無線セルに該当する。
【００９３】
隣接セルリスト更新部１０７は、既存の隣接セルリストから追加または削除する無線セルを無線基地局３０に通知して、隣接セルリストを更新する。また、隣接セルリスト更新部１０７は、更新後の隣接セルリストを無線基地局３０に通知して、隣接セルリストを更新しても構わない。
【００９４】
このように本実施形態によれば、隣接セルリスト最適化システム１００は、隣接セルであるListed  CellおよびDetected  Cellの無線品質の測定情報の移動端末１０からの報告数に基づき、隣接セルごとに隣接セルリストに登録する優先度を算出し、算出した優先度に基づき隣接セルリストに登録する無線セルを決定する。
【００９５】
そのため、隣接セルリストに登録される隣接セルの数は、隣接セルリストに登録可能な数の上限以下となるため、隣接セルリストに登録可能な数を超えた隣接セルが隣接セルリストへの登録の対象となることを防ぐことができる。
【００９６】
また、各隣接セルの優先度にのみ基づいて、隣接セルが隣接セルリストに登録されるため、隣接セルリストへの隣接セルの登録と削除とを繰り返す必要が無く、隣接セルリストの更新動作が不安定になることを回避することができる。
（第２の実施形態）
本実施形態の隣接セルリスト最適化システム２００は、第１の実施形態と比較して、移動端末１０からの報告数を集計する際に、ハンドオーバ先となる可能性が高い隣接セルの報告のみを集計するようにした点が異なる。上記動作を実現するために、本実施形態では、優先度算出部１０５は、第１の実施形態とは異なる以下のような動作を行う。
【００９７】
すなわち、本実施形態では、優先度算出部１０５は、最適化対象セルに接続する移動端末１０からの報告数を集計する際に、ハンドオーバ先となる可能性が高い隣接セルの報告数のみを集計する。このとき、ハンドオーバ先となる可能性が高い隣接セルは、同一の移動端末１０が一度に複数の隣接セルの測定情報を報告した場合に、その複数の隣接セルの中で無線品質が最も良いセルとして特定される。
【００９８】
このように本実施形態によれば、隣接セルリスト最適化システム２００は、移動端末１０からの報告数を集計する際に、ハンドオーバ先となる可能性が高い隣接セルの報告数のみを集計する。
【００９９】
そのため、第１の実施形態においては、ハンドオーバ先となる可能性を考慮せずに報告数を集計するため、ハンドオーバ先となる可能性が高い隣接セルで隣接セルリストを構成するのが困難であったが、本実施形態によれば、ハンドオーバ先となる可能性が高い隣接セルの報告数のみを集計するので、ハンドオーバ先となる可能性が高い無線セルで隣接セルリストを構成することができる。
（第３の実施形態）
本実施形態の隣接セルリスト最適化システム３００は、第１および第２の実施形態と比較して、複数の集計期間における移動端末１０からの報告数の加重平均に基づき、隣接セルの優先度を算出するようにした点が異なる。上記動作を実現するために、本実施形態では、優先度算出部１０５は、第１および第２の実施形態とは異なる以下のような動作を行う。
【０１００】
すなわち、本実施形態では、優先度算出部１０５は、複数の集計期間における隣接セルの移動端末１０からの報告数を、それぞれの報告数が集計された集計期間からの経過時間を用いて加重平均し、その加重平均して得られた値に基づき、隣接セルの優先度を算出する。
【０１０１】
図１０は、優先度算出部１０５が管理する管理情報の一例を示す図である。
【０１０２】
図１０に示すように、優先度算出部１０５は、Detected  Cellごとに事前に定められた集計期間における移動端末１０からの報告数と、過去複数の集計期間における移動端末１０からの報告数の加重平均値と、を集計した集計テーブル１１４と、Listed  Cellごとに事前に定められた集計期間における移動端末１０からの報告数と、過去複数の集計期間における移動端末１０からの報告数の加重平均値と、を集計した集計テーブル１１５と、を管理情報として管理する。
【０１０３】
報告数の加重平均値は、例えば、式（３）
【０１０４】
【数３】
0005505422.tif 000004
に従って算出することができる。
【０１０５】
ここで、Ｍ（ｉ）はｉ番目の集計期間における報告数の加重平均値、ｎ（ｉ）はｉ番目の集計期間における報告数の集計値、γは一般に忘却係数と呼ばれる固定係数である。
【０１０６】
式（３）においてγが１未満の場合には、過去の集計期間における報告数の加重平均値Ｍ（ｉ―１）と現在の集計期間における報告数の集計値ｎ（ｉ）との加重平均値が得られる。この場合、γが１に近いほど、加重平均値Ｍ（ｉ）に対する現在の集計期間の集計数ｎ（ｉ）の比重が高くなる。一方、γが１の場合には、過去の集計期間における報告数の加重平均値との加重平均は行われず、第１の実施形態と同じ集計値が得られる。
【０１０７】
優先度算出部１０５は、第１の実施形態における報告数ｎ（ｉ）の代わりに、複数の集計期間における報告数の加重平均値Ｍ（ｉ）を隣接セルの優先度とする。
【０１０８】
このように本実施形態によれば、隣接セルリスト最適化システム３００は、複数の集計期間における報告数の加重平均値に基づき、隣接セルの優先度を算出する。
【０１０９】
第１の実施形態においては、単一の集計期間における報告数に基づき算出した優先度に基づいて、隣接セルリストに登録する無線セルを決定するため、集計期間が短いと、移動端末１０のモビリティや電波のフェージングなどの一時的な変動の影響を受けて、不適切な無線セルを隣接セルリストに追加、削除する場合があった。一方、このような不適切な隣接セルリストの更新を回避するために集計期間を長く設定すると、無線基地局３０の新設や廃止などによる無線セルの隣接関係の変化を隣接セルリストに対して迅速に反映できない場合があった。
【０１１０】
これに対し、本実施形態によれば、複数の集計期間における移動端末１０からの報告数を、それぞれの報告数が集計された集計期間からの経過時間を用いて加重平均した値に基づき算出した優先度に基づいて隣接セルリストに追加、削除する無線セルを決定するため、一時的な変動の影響を緩和しながら、隣接セルリストに対して、最近の無線セルの隣接関係を反映することができる。
（第４の実施形態）
本実施形態の隣接セルリスト最適化システム４００は、第１から第３の実施形態と比較して、移動端末１０からの報告数に基づき算出した優先度を、トラフィック統計情報に基づき算出した優先度により補正するようにした点が異なる。
【０１１１】
図１１は、本実施形態の隣接セルリスト最適化システム４００の構成を示すブロック図である。
【０１１２】
図１１に示す隣接セルリスト最適化システム４００は、第１から第３の実施形態の隣接セルリスト最適化システ１００と比較して、優先度算出部１０５を優先度算出部４０５に変更した点が異なる。
【０１１３】
優先度算出部４０５は、通信統計記憶部１０１からトラフィック統計情報を取得する。具体的には、優先度算出部４０５は、移動端末１０からの報告数の集計期間中に発生したハンドオーバについて、最適化対象セルからListed  Cellのいずれかへのハンドオーバの試行数（Ａ）およびそのハンドオーバの成功数（Ｓ）、Listed  Cellごとの、そのListed  Cellへのハンドオーバの試行数（ａ）およびそのハンドオーバの成功数（ｓ）を取得する。
【０１１４】
そして、優先度算出部４０５は、トラフィック統計情報に基づき隣接セルの優先度を算出し、移動端末１０からの報告数に基づき算出した優先度を、トラフィック統計情報に基づき算出した優先度により補正した値を隣接セルの優先度とする。
【０１１５】
次に、本実施形態の隣接セルリスト最適化システム４００の動作について説明する。
【０１１６】
図１２は、隣接セルリスト最適化システム４００の動作を説明するフローチャートである。なお、図１２において、図７と同様の処理については同じ符号を付し、説明を省略する。
【０１１７】
優先度算出部４０５は、最適化対象セルに関するトラフィック統計情報を通信統計記憶部１０１から取得し（ステップＳ２００）、移動端末１０からの報告数に基づき算出した隣接セルの優先度を、取得したトラフィック統計情報に基づき算出した優先度により補正し（ステップＳ２０１）、その補正した値をその隣接セルの優先度とする。
【０１１８】
なお、優先度の補正は、移動端末１０からの報告数に基づき算出した優先度と、トラフィック統計情報に基づき算出した優先度とを加重平均することにより行われる。
【０１１９】
優先度の補正の方法として、式（４）
【０１２０】
【数４】
0005505422.tif 000005
を用いる方法がある。
【０１２１】
ここで、Ｒmは補正された優先度である。
【０１２２】
また、ｒmはステップＳ１０２で移動端末１０からの報告数に基づき算出された優先度である。ただし、ｒmは第１の実施形態において上述したように正規化された値である。一方、ｒpmはトラフィック統計情報に基づき算出された優先度である。ｒpmは、例えば、Listed  Cellへのハンドオーバの試行数（ａ）をListed  Cellのいずれかへのハンドオーバの試行数（Ａ）で正規化した値（ａ／Ａ）、またはListed  Cellへのハンドオーバの成功数（ｓ）を全体の成功数（Ｓ）で正規化した値（ｓ／Ｓ）とする。
【０１２３】
また、αは加重係数であり、優先度を算出する隣接セルのトラフィック統計情報が取得できない場合には０、取得できる場合には０以上１未満の値とする。
【０１２４】
なお、Ｒmは、第３の実施形態と同様に、過去の複数の集計期間におけるｒmとｒpmとを用いて、式（５）
【０１２５】
【数５】
0005505422.tif 000006
に示すように経過時間を用いた加重平均を施しても構わない。
【０１２６】
隣接セルリスト更新部１０７は、移動端末１０により検出され、かつ、トラフィック統計情報を取得することができた隣接セルのうち、隣接セルリストに登録可能な無線セル数（ＬMax）を上限として、優先度（Ｒm）大きい順に隣接セルを抽出し、抽出した隣接セルを更新後に隣接セルリストに登録する。このとき、第１の実施形態と同様に、移動端末１０からの報告数が閾値（ＴｈDel’）以下の隣接セルは、更新後の隣接セルリストから削除するようにしても構わない。
【０１２７】
このように本実施形態によれば、隣接セルリスト最適化システム４００は、移動端末１０からの報告数に基づき算出した優先度を、トラフィック統計情報に基づき算出した優先度を用いて補正した値を隣接セルの優先度とする。
【０１２８】
第１から第３の実施形態においては、測定情報の報告のトリガ条件をハンドオーバの実行判定と異なる条件に設定すると、移動端末１０からの報告数とハンドオーバ試行数との間の相関が低下し、ハンドオーバ試行数の期待値がより高い隣接セルを隣接セルリストに登録することが難しい場合があった。
【０１２９】
これに対し、本実施形態によれば、実際のハンドオーバ実績を加味して補正した優先度に従って、隣接セルリストに登録する隣接セルを決定するため、ハンドオーバ試行数の期待値がより高い隣接セルを隣接セルリストに登録することができる。
（第５の実施形態）
本実施形態の隣接セルリスト最適化システム５００は、第４の実施形態において算出された優先度（Ｒm）を、最適化対象セルおよび隣接セルのカバレッジ（無線セルの地理的範囲）に基づき算出した優先度を用いて補正するようにした点が異なる。
【０１３０】
図１３は、本実施形態の隣接セルリスト最適化システム５００の構成を示すブロック図である。
【０１３１】
図１３に示す隣接セルリスト最適化システム５００は、第４の実施形態の隣接セルリスト最適化システム４００と比較して、設計情報記憶部５０１を新たに設けた点と、優先度算出部４０５を優先度算出部５０５に変更した点と、が異なる。
【０１３２】
設計情報記憶部５０１は、最適化対象セルおよびその隣接セルに関する無線カバレッジ情報を記憶する領域である。無線カバレッジ情報とは、無線セルの地理的な範囲を規定する情報である。無線カバレッジ情報は、一般に、無線セルを管理する無線基地局３０の送信電力、アンテナの設置角度などの設計情報から推定することができる。
【０１３３】
優先度算出部５０５は、無線カバレッジ情報を設計情報記憶部５０１から取得し、第４の実施形態に記載の方法で算出した優先度（Ｒm）を、取得した無線カバレッジ情報に基づき算出した優先度を用いて補正する。
【０１３４】
次に、本実施形態の隣接セルリスト最適化システム５００の動作について説明する。
【０１３５】
図１４は、隣接セルリスト最適化システム５００の動作を説明するフローチャートである。なお、図１４において、図１２と同様の処理については同じ符号を付し、説明を省略する。
【０１３６】
優先度算出部５０５は、最適化対象セルおよびその隣接セルに関する無線カバレッジ情報を設計情報記憶部５０１から取得する（ステップＳ３００）。さらに、優先度算出部５０５は、無線カバレッジ情報に基づき隣接セルの優先度を算出し、算出した優先度を用いて、ステップＳ２０１で算出した優先度（Ｒm）を補正し（ステップＳ３０１）、その補正した値をその隣接セルの優先度とする。
【０１３７】
なお、優先度の補正は、ステップＳ２０１で算出された優先度（Ｒm）と無線カバレッジ情報に基づき算出された優先度とを加重平均することで行われる。
【０１３８】
優先度の補正の方法として、式（６）
【０１３９】
【数６】
0005505422.tif 000007
を用いる方法がある。
【０１４０】
ここで、ＲmはステップＳ２０１で算出された優先度であり、Ｒpは無線カバレッジ情報に基づき算出した優先度である。ｗは加重係数であり、０以上１未満の値をとる。
【０１４１】
無線カバレッジ情報による優先度Ｒpの算出方法の一例を図１５および図１６を用いて説明する。
【０１４２】
図１５は、無線基地局３０Ａが管理する最適化対象セル（３５Ａ）および隣接基地局３０Ｂが管理する隣接セル（３５Ｂ）の配置関係を示す図である。
【０１４３】
図１５においては、最適化対象セルのカバレッジと隣接セルのカバレッジとが領域３５１で重複面積ＳABだけ互いに重複している。
【０１４４】
図１６は、無線カバレッジ情報に基づき優先度Ｒpを算出する際に用いられる評価関数の一例を示す図である。
【０１４５】
図１６に示すように、無線カバレッジ情報に基づき算出される優先度Ｒpは、最適化対象セル（３５Ａ）のカバレッジと隣接セル（３５Ｂ）のカバレッジとの重複面積ＳABを入力とする評価関数の出力として求められる。
【０１４６】
なお、本実施形態においては、第４の実施形態において算出された優先度を、無線カバレッジ情報に基づき算出される優先度を用いて補正する例について説明したが、これに限られるものではなく、第１から第３の実施形態において算出された優先度を、同様に補正することも可能である。
【０１４７】
このように本実施形態の隣接セルリスト最適化システム５００によれば、移動端末１０からの報告数またはトラフィック統計情報に基づき算出された優先度を、無線カバレッジ情報に基づき算出された優先度を用いて補正した値を隣接セルの優先度とする。
【０１４８】
第１から第４の実施形態においては、移動端末１０からの報告数またはトラフィック統計情報に基づき算出された優先度に従って、隣接セルリストに登録する隣接セルを決定するため、移動端末１０のモビリティや電波のフェージングなどの一時的な変動の影響が大きな場合には，本来は追加や削除すべきではない隣接セルを隣接セルリストから追加あるいは削除してしまい，隣接セルリストの更新が不安定になる場合があった。
【０１４９】
これに対し、本実施形態によれば、最適化対象セルおよび隣接セルのカバレッジを加味して補正した優先度に従って、隣接セルリストに登録する隣接セルを決定するため、一時的な変動の影響を緩和し、隣接セルリストの更新が不安定になることを抑制することができる。
【０１５０】
なお、本発明は、図２に示す無線通信システムに限定されるものではなく、本発明の基本的技術思想を逸脱しない範囲で、例えば、移動通信コア網５０と無線基地局３０との間に無線基地局制御装置を備える無線通信システムや、隣接セルリスト最適化システムの機能が無線基地局制御装置あるいは無線基地局３０の内部に組み込まれた無線通信システムにも適用することができる。さらには、隣接セルリスト最適化システムと無線基地局３０との間に無線基地局管理装置が備わる場合にも適用することができる。
【０１５１】
また、隣接セルリスト最適化システムが、移動端末１０により測定された無線品質の測定情報の集計結果を管理する例について記載したが、基地局制御装置あるいは無線基地局３０の内部で管理しても構わない。また、移動端末１０が備えている無線品質の測定機能と同等の機能を無線基地局３０が備えている場合には、無線基地局３０が無線品質の測定を行っても構わない。
【０１５２】
また、上述の第１から第５の実施形態においては、無線通信システムは無線基地局３０とは別に隣接セルリスト最適化システムを備え、隣接セルリスト最適化システムが無線基地局３０に設定される隣接セルリストを更新する例を説明したが、本発明はこれに限られるものではなく、無線基地局３０が自局に設定された隣接セルリストを更新することも可能である。
【０１５３】
測定情報、トラフィック統計情報、および無線カバレッジ情報は、いずれも無線基地局３０により収集または記憶が可能な情報であり、無線基地局３０はこれらの情報に基づき隣接セルの優先度を算出し、算出した優先度に基づき自局に設定された隣接セルリストに登録する無線セルを決定し、隣接セルリストを更新することができる。
【０１５４】
以上、実施形態を参照して本発明を説明したが、本発明は上記実施形態に限定されるものではない。本発明の構成や詳細には、本発明の範囲内で当業者が理解し得る様々な変更をすることができる。
【０１５５】
この出願は、２００９年１１月１９日に出願された日本出願特願２００９−２６３７８２を基礎とする優先権を主張し、その開示の全てをここに取り込む。
【図１】
0005505422.tif 000008
【図２】
0005505422.tif 000009
【図３】
0005505422.tif 000010
【図４】
0005505422.tif 000011
【図５】
0005505422.tif 000012
【図６】
0005505422.tif 000013
【図７】
0005505422.tif 000014
【図８】
0005505422.tif 000015
【図９】
0005505422.tif 000016
【図１０】
0005505422.tif 000017
【図１１】
0005505422.tif 000018
【図１２】
0005505422.tif 000019
【図１３】
0005505422.tif 000020
【図１４】
0005505422.tif 000021
【図１５】
0005505422.tif 000022
【図１６】
0005505422.tif 000023